(57)【要約】【課題】検索サーバから所望のデータを確実に取得して印刷することができる画像形成装置を提供する。【解決手段】画像形成装置のＣＰＵは、携帯端末からの印刷の指示を受信すると（ステップＳ１１０１）、プリント指示データ内で指定されたＵＲＬの検索サーバに受信した検索条件を送信する（ステップＳ１１０２）。検索サーバでは、検索条件に基づく検索が行われ、ＣＰＵはこの検索の結果（データ）を受信し（ステップＳ１１０３）する。そして、ＣＰＵは、受信したデータをＰＤＦ化してプリンタ部に転送し、プリンタ部に印刷を実行させる（ステップＳ１１０４）。従って、画像形成装置は、ＵＲＬに基づいて検索サーバを特定し、この検索サーバに検索条件を送信して、その結果を引き出しているので、検索サーバから所望のデータを確実に取得して、それを印刷することが可能である。【選択図】  図１１
2004148730.tif 000002
【特許請求の範囲】
【請求項１】
指定された検索条件に従って検索を実行する検索サーバと通信可能な画像形成装置であって、
前記検索サーバを識別するサーバ識別情報及び前記検索条件を示す検索条件情報を受信する情報受信手段と、
前記サーバ識別情報が示す検索サーバに前記検索条件情報を送信する送信手段と、
前記検索サーバによる検索の結果を示すデータを受信する検索結果受信手段と、
検索結果受信手段により受信されたデータに基づいて前記検索の結果を印刷する印刷手段と、
を有することを特徴とする画像形成装置。
【発明の詳細な説明】
【０００１】
【発明の属する技術分野】
本発明は、ネットワーク上の検索サーバに存在するデータの印刷に好適な画像形成装置、印刷システム、画像形成方法、画像形成装置の制御プログラム及び記録媒体に関する。
【０００２】
【従来の技術】
近年、ＰＤＡ（Ｐｅｒｓｏｎａｌ  Ｄｉｇｉｔａｌ  Ａｓｓｉｓｔａｎｔｓ）や携帯電話といった携帯端末分野において、めまぐるしく技術開発が進歩し、携帯端末からインターネットに接続し、さまざまなサービスを受けることが可能となっている。一例として、地図検索や情報検索のような検索サービスがある。この検索サービスは、ネットワークに接続した携帯端末から検索したいキーワード（住所、地域、郵便番号等）を入力し、検索サーバに送信することにより、指定した検索結果のデータを取得して、携帯端末の画面にデータ（地図画像等）を表示するものである。
【０００３】
また、このような携帯端末に表示された画像を印刷するサービスも進歩している。その代表的な方式として、２つの方式が挙げられる。一つの方式は、印刷するデータをすべてクライアントが一旦受信し、このデータを直接プリンタに送信するものである。この方式は、ＰＵＳＨ型とよばれる。もう一つの方式は、印刷するデータをネットワーク上のドキュメントサーバに保存したままとし、クライアントが当該ドキュメントデータのＵＲＬ（Ｕｎｉｆｏｒｍ  Ｒｅｓｏｕｒｃｅ  Ｌｏｃａｔｏｒ）のみをプリンタに送信し、プリンタが、指定されたＵＲＬからデータを受信して印刷するものである。この方式は、ＰＵＬＬ型とよばれる。
【０００４】
この２つの方式を比較すると、ＰＵＳＨ型の場合、携帯端末等では、画像データを小さくするために、画質が犠牲にされていることが一般的であるため、高い画質を得ることはできない。これに対し、ＰＵＬＬ型の場合、クライアントは、実際に印刷するデータを自身のメモリに保存しておく必要がないため、一般のパーソナルコンピュータと比較して大容量のメモリを持つ構成が難しい携帯端末等を使用しているときであっても、サイズが大きいデータを容易に印刷することができるという利点がある。
【０００５】
【発明が解決しようとする課題】
しかしながら、検索サーバ（ドキュメントサーバ）を利用して検索を行った場合、その検索結果を表すＵＲＬは、数字やアルファベットを組み合わせた動的なものが一般的であるため、検索キーワードの種類やそのときの検索サーバの状況によって、検索結果を表すＵＲＬが変化することがある。このことから、検索結果のＵＲＬに基づいてＰＵＬＬ型の印刷を行おうとしても、そのＵＲＬがすでに存在せずに、その印刷を実行できない可能性がある。
【０００６】
また、検索結果を表すＵＲＬの内容がすでに所望の結果と異なる結果を表していることもあり、このような場合には、意図せぬ内容の情報が印刷されてしまう。
【０００７】
本発明は、かかる問題点に鑑みてなされたものであって、検索サーバから所望のデータを確実に取得して印刷することができる画像形成装置を提供することを目的とする。
【０００８】
【課題を解決するための手段】
本願の第１の発明に係る画像形成装置は、指定された検索条件に従って検索を実行する検索サーバと通信可能な画像形成装置であって、前記検索サーバを識別するサーバ識別情報及び前記検索条件を示す検索条件情報を受信する情報受信手段と、前記サーバ識別情報が示す検索サーバに前記検索条件情報を送信する送信手段と、前記検索サーバによる検索の結果を示すデータを受信する検索結果受信手段と、検索結果受信手段により受信されたデータに基づいて前記検索の結果を印刷する印刷手段と、を有することを特徴とする。
【０００９】
本願の第２の発明に係る印刷システムは、端末機器と、前記端末機器と通信が可能な画像形成装置と、を有する印刷システムにおいて、前記端末機器は、検索サーバを識別するサーバ識別情報及び前記検索サーバに対して行った検索の条件を示す検索条件情報を送信する情報送信手段を有し、前記画像形成装置は、前記サーバ識別情報及び前記検索条件情報を受信する情報受信手段と、前記サーバ識別情報が示す検索サーバに前記検索条件情報を送信する送信手段と、前記検索サーバによる検索の結果を受信する検索結果受信手段と、前記検索の結果を印刷する印刷手段と、を有することを特徴とする。
【００１０】
本願の第３の発明に係る画像形成方法は、検索サーバを識別するサーバ識別情報及び前記検索サーバに対して行った検索の条件を示す検索条件情報を受信する情報受信工程と、前記サーバ識別情報が示す検索サーバに前記検索条件情報を送信する送信工程と、前記検索サーバによる検索の結果を受信する検索結果受信工程と、前記検索の結果を印刷する印刷工程と、を有することを特徴とする。
【００１１】
本願の第４の発明に係る画像形成装置の制御プログラムは、コンピュータに、検索サーバを識別するサーバ識別情報及び前記検索サーバに対して行った検索の条件を示す検索条件情報を受信する情報受信手順と、前記サーバ識別情報が示す検索サーバに前記検索条件情報を送信する送信手順と、前記検索サーバによる検索の結果を受信する検索結果受信手順と、前記検索の結果を印刷する印刷手順と、を実行させることを特徴とする。
【００１２】
本願の第５の発明に係るコンピュータ読み取り可能な記録媒体は、コンピュータに、検索サーバを識別するサーバ識別情報及び前記検索サーバに対して行った検索の条件を示す検索条件情報を受信する情報受信手順と、前記サーバ識別情報が示す検索サーバに前記検索条件情報を送信する送信手順と、前記検索サーバによる検索の結果を受信する検索結果受信手順と、前記検索の結果を印刷する印刷手順と、を実行させる画像形成装置の制御プログラムを記録したことを特徴とする。
【００１３】
これらの本願発明においては、検索結果を識別するＵＲＬから検索結果を受信するのではなく、検索サーバを識別するＵＲＬに基づいて検索サーバに接続し、この検索サーバに検索条件を送信して、その結果を受信しているので、検索サーバから所望のデータを確実に取得して、それを印刷することが可能である。
【００１４】
【発明の実施の形態】
以下、本発明の実施形態に係る画像形成装置、印刷システム、画像形成方法、画像形成装置の制御プログラム及び記録媒体について、添付の図面を参照して具体的に説明する。図１は、本発明の実施形態に係る画像形成装置の構成を示すブロック図である。
【００１５】
リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、ネットワークインタフェイス部７、ＬＩＰＳフォーマッタ部８、ポストスクリプトフォーマッタ部９及びコア部１０等からなる。
【００１６】
ファクシミリ部４は、電話回線を介して受信した圧縮画像データを伸長して、伸長された画像データをコア部１０へ転送する。ファクシミリ部４は、更に、コア部１０から転送された画像データを圧縮して、電話回線を介して圧縮された圧縮画像データを送信する。
【００１７】
ファイル部５には光磁気ディスクドライブユニット６が接続されており、ファイル部５は、コア部１０から転送された画像データを圧縮し、その画像データを検索するためのキーワードとともに光磁気ディスクドライブユニット６にセットされた光磁気ディスクに記憶させる。ファイル部５は、更に、コア部１０を介して転送されたキーワードに基づいて光磁気ディスクに記憶されている圧縮画像データを検索し、検索された圧縮画像データを読み出して伸長し、伸長された画像データをコア部１０へ転送する。
【００１８】
ネットワークインタフェイス部７は、パーソナルコンピュータ又はワークステーション（ＰＣ／ＷＳ）１１とコア部１０との間のインタフェイスである。このネットワークには、その制御のために、ネットワークサーバ１２が設けられている。ネットワークサーバ１２は、例えばインターネット等の電気通信回線を介して外部の検索サーバ（ドキュメントサーバ）に接続されている。
【００１９】
ＬＩＰＳフォーマッタ部８及びＰＳフォーマッタ部９は、ＰＣ／ＷＳ１１から転送されたＰＤＬ（Ｐａｇｅ  Ｄｅｓｃｒｉｐｔｉｏｎ  Ｌａｎｇｕａｇｅ）データを、そのＰＤＬの種類に応じてプリンタ部２で記録できる画像データに展開する。コア部１０の詳細は後述するが、コア部１０はリーダ部１、ファクシミリ部４、ファイル部５、ネットワークインタフェイス部７並びにフォーマッタ部８及び９のそれぞれの間のデータの流れを制御する。
【００２０】
図２は、リーダ部１及びプリンタ部２の構成を示す模式図である。リーダ部１の原稿給送装置１０１は、原稿を最終頁から順に１枚ずつプラテンガラス１０２上へ給送し、原稿の読み取り動作終了後、プラテンガラス１０２上の原稿を排出する。原稿がプラテンガラス１０２上に搬送されると、ランプ１０３を点灯し、スキャナユニット１０４の移動を開始させて、原稿を露光走査する。この時の原稿からの反射光は、ミラー１０５、１０６及び１０７並びにレンズ１０８によってＣＣＤイメージセンサ（以下ＣＣＤという）１０９へ導かれる。このように、走査された原稿の画像はＣＣＤ１０９によって読み取られ、ＣＣＤ１０９から出力される画像データは、読取信号処理部１１７による所定の処理が施された後、プリンタ部２及び画像入出力制御部３のコア部１０へと転送される。
【００２１】
プリンタ部２のレーザドライバ２２１はレーザ発光部２０１を駆動し、リーダ部１から出力された画像データに応したレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱及び圧力により現像剤は記録紙に定着させられる。定着部２０７を通過した記録紙は排出ローラ２０８によって排出される。
【００２２】
ソータ２２０は排出された記録紙をそれぞれのビンに収納して記録紙の仕分けを行う。なお、ソータ２２０は仕分けが設定されていない場合は最上のビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００２３】
図３は、リーダ部１に設けられた読取信号処理部１１７の構成を示すブロック図である。ＣＣＤ１０９から出力された画像データはＡ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インタフェイス部１１３を介して画像入出力制御部３のコア部１０へ転送される。
【００２４】
ＣＰＵ１１４は操作部１１５で設定された設定内容に応じて画像処理部１１１及びインタフェイス１１３を制御する。例えば、操作部１１５からトリミング処理を行って複写を行う複写モードが設定されている場合には、ＣＰＵ１１４は、画像処理部１１１でトリミング処理を行わせてプリンタ部２へ転送させる。また、操作部１１５からファクシミリ送信モードが設定されている場合には、ＣＰＵ１１４は、インタフェイス１１３から画像データ及び設定されたモードに応じた制御コマンドをコア部１０へ転送させる。このようなＣＰＵ１１４の制御プログラムはメモリ１１６に記憶されており、ＣＰＵ１１４はメモリ１１６を参照しながらこれらの制御を行う。また、メモリ１１６はＣＰＵ１１４の作業領域としても使われる。
【００２５】
図４は、コア部１０の構成を示すブロック図である。リーダ部１からの画像データはインタフェイス（Ｉ／Ｆ）１２２を介してデータ処理部１２１へ転送され、リーダ部１からの制御コマンドはインタフェイス（Ｉ／Ｆ）１２２を介してＣＰＵ１２３へ転送される。データ処理部１２１は、制御コマンドに応じたＣＰＵ１２３の制御により、リーダ部１からデータ処理部１２１へ転送された画像データに対し、画像の回転処理や変倍処理等の画像処理を行う。画像処理が施された後の画像データは、制御コマンドに応じたＣＰＵ１２３の制御により、インタフェイス（Ｉ／Ｆ）１２０を介して、ファクシミリ部４、ファイル部５又はネットワークインタフェイス部７へ転送される。
【００２６】
一方、リーダ部１からではなく、ＰＣ／ＷＳ１１等が接続されたネットワークからネットワークインタフェイス部７を介して入力された画像を表すコードデータは、Ｉ／Ｆ１２０を介してデータ処理部１２１に転送される。このコードデータに対し、そのＰＤＬがＬＩＰＳ又はＰＳ（ポストスクリプト）のいずれであるのかをＣＰＵ１２３が判定する。次いで、このコードデータは、ＣＰＵ１２３による判定の結果に基づき、ＰＤＬがＬＩＰＳであればＬＩＰＳフォーマッタ部８に転送され、ＰＤＬがＰＳであればＰＳフォーマッタ部９へ転送され、その後、画像データに展開される。そして、展開された画像データは、データ処理部１２１に転送された後、ファクシミリ部４又はプリンタ部２へ転送される。
【００２７】
ファクシミリ部４から転送された画像データは、Ｉ／Ｆ１２０を介してデータ処理部１２１へ転送された後、プリンタ部２、ファイル部５又はネットワークインタフェイス部７へ転送される。
【００２８】
また、ファイル部５から転送された画像データは、Ｉ／Ｆ１２０を介してデータ処理部１２１へ転送された後、ブリンタ部２、ファクシミリ部４又はネットワークインタフェイス部７へ転送される。
【００２９】
ＣＰＵ１２３はメモリ１２４に記憶されている制御プログラム及びリーダ部１から転送された制御コマンドに基づいて、上述のような制御を行う。また、メモリ１２４はＣＰＵ１２３の作業領域としても使われる。
【００３０】
本実施形態においては、コア部１０に、更に、携帯端末用インタフェイス（Ｉ／Ｆ）１２５が設けられている。この携帯端末用Ｉ／Ｆ１２５により、検索サーバを識別するＵＲＬ（サーバ識別情報）及び検索条件を示す検索条件情報が受信される。メモリ１２４に記憶されている前記制御プログラムには、例えば図１１に示すフローチャートの処理をＣＰＵ１２３等が実行するためのプログラムが含まれている。このプログラムは、携帯端末から受信した検索サーバを識別するＵＲＬ及び検索条件を検索サーバ５０３に送信し、この検索の結果を検索サーバ５０３から受信して印字するための検索プログラムである。携帯端末用Ｉ／Ｆ１２５としては、例えばＢｌｕｅｔｏｏｔｈに対応した無線インタフェイスを使用することができる。
【００３１】
ネットワークインタフェイス部７にはＭＩＢ（Ｍａｎａｇｅｍｅｎｔ  Ｉｎｆｏｒｍａｔｉｏｎ  Ｂａｓｅ）とよばれるデーターベースが構築されており、ＳＮＭＰプロトコル（Ｓｉｍｐｌｅ  Ｎｅｔｗｏｒｋ  Ｍａｎａｇｅｍｅｎｔ  Ｐｒｏｔｏｃｏｌ）を介してネットワーク上のＰＣ／ＷＳ１１等のコンピュータと通信することが可能となっている。従って、ネットワーク上のコンピュータから本実施形態に係る画像形成装置の管理を行うことも可能である。また、部門ＩＤごとに設定可能なプリント枚数やその他の各種設定項目に対する設定及び管理が、操作部１１５又はネットワーク上のコンピュータから可能となっている。
【００３２】
このように、本実施形態に係る画像形成装置は、コア部１０を中心に、原稿画像の読み取り、画像の印刷、画像データの送受信、画像データの保存、コンピュータからのデータの入出力等の機能を複合させた処理を行うことが可能である。
【００３３】
図５は、本実施形態に係る画像形成装置を適用した印刷システムの構築例を示すブロック図である。
【００３４】
携帯端末５０２は、インターネット接続機能を備えており、検索サーバ５０３に対して、検索条件を送信することが可能なように構成されている。また、画像形成装置５０１に対して、検索サーバのＵＲＬと検索条件を送信することが可能なように構成されている。携帯端末５０２から画像形成装置５０１に検索サーバを識別するＵＲＬ及び検索条件を送信する手段としては、例えばＢｌｕｅｔｏｏｔｈに対応した無線インタフェイスを使用することが可能である。
【００３５】
検索サーバ５０３は、ネットワーク接続可能な携帯端末等のクライアントから受信した検索条件に合致する画像やＵＲＬを検索し、検索結果をクライアントに送信することが可能なように構成されている。
【００３６】
画像形成装置５０１には、前述のように、コンピュータ・インタフェイス部７及び、携帯端末用Ｉ／Ｆ１２５が設けられている。従って、画像形成装置５０１は、ネットワーク（インターネット）に接続されて検索サーバ５０３と通信することが可能なように構成され、また、携帯端末５０２から検索サーバ５０３を識別するＵＲＬと検索条件を受信することが可能なように構成されている。更に、画像形成装置５０１には、前述のように、検索サーバ５０３での検索用のプログラムが組み込まれている。従って、画像形成装置５０１は、検索サーバを識別するＵＲＬ及び検索条件を検索サーバ５０３に送信し、この検索の結果を検索サーバ５０３から受信して印字することが可能なように構成されている。
【００３７】
次に、上述のように構築されたシステムの動作について説明する。ここでは、検索サーバ５０３が、駅名、建物名、郵便番号等の検索条件に基づく地図検索が可能な検索サーバとなっている例について説明する。図６は、携帯端末５０２から検索サーバ５０３が提供する検索サービスに接続した際に表示される画面の例を示す模式図である。なお、図示していないが、携帯端末５０２には、その画面に表示された項目を選択するためのカーソルボタンや、選択された項目を決定するための決定ボタンが設けられており、携帯端末５０２は、ユーザは画面に表示された項目から所望の項目を選択し決定することが可能なように構成されている。
【００３８】
携帯端末５０２が検索サーバ５０３に接続すると、図６に示すような画面が表示される。図６中の項目の下のアンダーラインはその項目が現在選択されている状態であることを示している。この画面から、「駅名」を選択し、決定ボタンを押下すると、図７に示す画面が表示される。ここで、駅名入力領域７０１に所望の駅名を入力し、「検索実行」を選択して決定ボタンを押下すると、検索サーバ５０３に対し入力した駅名を条件とした地図データ取得要求が送信される。
【００３９】
検索サーバ５０３は、要求された要求された駅を含む地図データを携帯端末５０２に送信する。この結果、携帯端末５０２の画面には、図８に示すような地図の画像が表示される。
【００４０】
その後、この画面から、「プリント」を選択し、決定ボタンを押下すると、図９に示すようなプリント確認画面が表示される。ここで、ユーザは部数入力領域９０１に印刷したい部数を入力することが可能である。その後、「実行」を選択し、決定ボタンを押下すると、携帯端末５０２から画像形成装置５０１に印刷の指示が行われる。この印刷の指示の際には、携帯端末５０２から画像形成装置５０１に対し、図１０に示すようなプリント指示データが送信される。図１０中の「Ｃｏｍｍａｎｄ」は、画像形成装置５０１が実行すべき処理を示しており、「ＰＲＩＮＴ」は、印刷の実行を意味する。図１０中の「ＵＲＬ」は、携帯端末５０２が接続した検索サーバ５０３自体のＵＲＬを示し、検索の結果得られた情報のＵＲＬを示すものではない。図１０中の「Ｋｅｙｗｏｒｄ」は、携帯端末５０２から検索サーバ５０３に送信した検索条件のキーワードを示す。図１０中の「Ｃｏｐｉｅｓ」は、印刷の実行に当たり、印刷する部数を意味する。
【００４１】
なお、携帯端末５０２と画像形成装置５０１との間で使用される通信の方式は、特に限定されるものではなく、例えば、前述のように、Ｂｌｕｅｔｏｏｔｈ等の無線通信方式を採用することができる。
【００４２】
次に、メモリ１２４に記憶された検索プログラムの内容及びこのプログラムの実行による画像形成装置５０１の動作について説明する。図１１は、メモリ１２４に記憶された検索プログラムの内容を示すフローチャートである。
【００４３】
画像形成装置５０１のＣＰＵ１２３は、携帯端末５０２からの印刷の指示（プリント指示）を受信すると（ステップＳ１１０１）、プリント指示データ内で指定されたＵＲＬの検索サーバ５０３に受信した検索条件を送信する（ステップＳ１１０２）。
【００４４】
次いで、検索サーバ５０３では、検索条件に基づく検索が行われ、ＣＰＵ１２３は、この検索の結果を示すデータを受信する（ステップＳ１１０３）。例えば、検索の結果を示すデータは、通常であればウェブブラウザによって処理されて閲覧されるＨＴＭＬ（Ｈｙｐｅｒ  Ｔｅｘｔ  Ｍａｒｋｕｐ  Ｌａｎｇｕａｇｅ）で記述されたデータである。
【００４５】
そして、ＣＰＵ１２３は、受信したデータをＰＤＦ（Ｐｏｒｔａｂｌｅ  Ｄｏｃｕｍｅｎｔ  Ｆｏｒｍａｔ）化してリーダ部１を介してプリンタ部２に転送し、プリンタ部２に印刷を実行させる（ステップＳ１１０４）。
【００４６】
このような印刷システムによれば、本実施形態に係る画像形成装置５０１が、携帯端末５０２における検索結果を識別するＵＲＬに基づいて検索サーバ５０３から情報を引き出すのではなく、ＵＲＬに基づいて検索サーバ５０３を特定し、この検索サーバ５０３に検索条件を送信して、その結果を引き出しているので、検索サーバ５０３から所望のデータを確実に取得して、それを印刷することが可能である。
【００４７】
なお、図９には、プリント部数のみが入力できる画面の例が描かれているが、表示される事項はこれに限定されるものではない。例えば、画像形成装置のデバイス構成に応じて、排紙方法を指定するための画面やｎ−ＵＰ印刷を指定するための画面が表示されてもよい。
【００４８】
また、サーバ識別情報は、インターネット上のＵＲＬに限定されるものではない。
【００４９】
本発明の実施形態は、上述のように、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【００５０】
本発明の実施態様の例を以下に列挙する。
【００５１】
（実施態様１）  指定された検索条件に従って検索を実行する検索サーバと通信可能な画像形成装置であって、
前記検索サーバを識別するサーバ識別情報及び前記検索条件を示す検索条件情報を受信する情報受信手段と、
前記サーバ識別情報が示す検索サーバに前記検索条件情報を送信する送信手段と、
前記検索サーバによる検索の結果を示すデータを受信する検索結果受信手段と、
検索結果受信手段により受信されたデータに基づいて前記検索の結果を印刷する印刷手段と、
を有することを特徴とする画像形成装置。
【００５２】
（実施態様２）  前記サーバ識別情報は、ＵＲＬであることを特徴とする実施態様１に記載の画像形成装置。
【００５３】
（実施態様３）  前記検索の結果をＰＤＦに変換して前記印刷手段に提供する変換手段を有し、
前記印刷手段は、変換された前記検索の結果を印刷することを特徴とする実施態様１又は２に記載の画像形成装置。
【００５４】
（実施態様４）  端末機器と、
前記端末機器と通信が可能な画像形成装置と、
を有する印刷システムにおいて、
前記端末機器は、
検索サーバを識別するサーバ識別情報及び前記検索サーバに対して行った検索の条件を示す検索条件情報を送信する情報送信手段を有し、
前記画像形成装置は、
前記サーバ識別情報及び前記検索条件情報を受信する情報受信手段と、
前記サーバ識別情報が示す検索サーバに前記検索条件情報を送信する送信手段と、
前記検索サーバによる検索の結果を受信する検索結果受信手段と、
前記検索の結果を印刷する印刷手段と、
を有することを特徴とする印刷システム。
【００５５】
（実施態様５）  検索サーバを識別するサーバ識別情報及び前記検索サーバに対して行った検索の条件を示す検索条件情報を受信する情報受信工程と、
前記サーバ識別情報が示す検索サーバに前記検索条件情報を送信する送信工程と、
前記検索サーバによる検索の結果を受信する検索結果受信工程と、
前記検索の結果を印刷する印刷工程と、
を有することを特徴とする画像形成方法。
【００５６】
（実施態様６）  前記サーバ識別情報は、ＵＲＬであることを特徴とする実施態様５に記載の画像形成方法。
【００５７】
（実施態様７）  前記検索の結果をＰＤＦに変換する工程を有し、
前記印刷工程において、変換された前記検索の結果を印刷することを特徴とする実施態様５又は６に記載の画像形成方法。
【００５８】
（実施態様８）  コンピュータに、
検索サーバを識別するサーバ識別情報及び前記検索サーバに対して行った検索の条件を示す検索条件情報を受信する情報受信手順と、
前記サーバ識別情報が示す検索サーバに前記検索条件情報を送信する送信手順と、
前記検索サーバによる検索の結果を受信する検索結果受信手順と、
前記検索の結果を印刷する印刷手順と、
を実行させることを特徴とする画像形成装置の制御プログラム。
【００５９】
（実施態様９）  コンピュータに、
検索サーバを識別するサーバ識別情報及び前記検索サーバに対して行った検索の条件を示す検索条件情報を受信する情報受信手順と、
前記サーバ識別情報が示す検索サーバに前記検索条件情報を送信する送信手順と、
前記検索サーバによる検索の結果を受信する検索結果受信手順と、
前記検索の結果を印刷する印刷手順と、
を実行させる画像形成装置の制御プログラムを記録したことを特徴とするコンピュータ読み取り可能な記録媒体。
【００６０】
【発明の効果】
以上説明したように、本発明によれば、携帯端末等からＰＵＬＬ型のプリント指示を受けたときに、サーバ識別情報に基づいて検索サーバを特定し、この検索サーバに検索条件情報に基づく検索を行わせ、この検索の結果を印刷することができる。このため、検索結果を表すと共に、動的に変化するＵＲＬに対しても確実に印刷することが可能になる。
【図面の簡単な説明】
【図１】本発明の実施形態に係る画像形成装置の構成を示すブロック図である。
【図２】リーダ部１及びプリンタ部２の構成を示す模式図である。
【図３】リーダ部１に設けられた読取信号処理部１１７の構成を示すブロック図である。
【図４】コア部１０の構成を示すブロック図である。
【図５】本実施形態に係る画像形成装置を適用した印刷システムの構築例を示すブロック図である。
【図６】携帯端末５０２から検索サーバ５０３が提供する検索サービスに接続した際に表示される画面の例を示す模式図である。
【図７】図６に示す画面の次に表示される画面の例を示す模式図である。
【図８】図７に示す画面の次に表示される画面の例を示す模式図である。
【図９】図８に示す画面の次に表示されるプリント確認画面の例を示す模式図である。
【図１０】プリント指示データの内容を示す図である。
【図１１】本発明の実施形態に係る画像形成装置の動作を示すフローチャートである。
【符号の説明】
１；リーダ部
２；プリンタ部
３；画像入出力制御部
１０；コア部
１１６；信号処理部
５０１；画像形成装置
５０２；携帯端末
５０３；検索サーバ
【図１】
2004148730.tif 000003
【図２】
2004148730.tif 000004
【図３】
2004148730.tif 000005
【図４】
2004148730.tif 000006
【図５】
2004148730.tif 000007
【図６】
2004148730.tif 000008
【図７】
2004148730.tif 000009
【図８】
2004148730.tif 000010
【図９】
2004148730.tif 000011
【図１０】
2004148730.tif 000012
【図１１】
2004148730.tif 000013